【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
本体部と、
発光部と、
前記発光部の前方に配置され、入射した光を屈折させる光学部材と、
前記発光部と前記光学部材を備え、前記本体部に対して回動可能な可動部と、
前記可動部を前記本体部に対して回動させる第１の駆動手段と、
前記発光部と前記光学部材との相対位置が変化するように、前記発光部と前記光学部材の少なくとも一方を移動させる第２の駆動手段と、
前記第１の駆動手段を用いた回動動作及び前記第２の駆動手段を用いた移動動作を制御する制御手段と、を有し、
前記第２の駆動手段は、前記第１の駆動手段へ電力を供給する電源から電力が供給され、
前記制御手段は、前記移動動作を行った後に前記回動動作を行うように制御することを特徴とする照明装置。
【請求項２】
前記制御手段は、前記発光部と前記光学部材との相対位置が所定の状態となるように前記移動動作を行った後に前記回動動作を行うように制御することを特徴とする請求項１に記載の照明装置。
【請求項３】
前記所定の状態は、前記発光部と前記光学部材の少なくとも一方が移動可能な範囲内で前記可動部の回動軸に最も近づいた状態であることを特徴とする請求項２に記載の照明装置。
【請求項４】
前記所定の状態は、前記発光部の照射範囲が最も狭くなる状態であることを特徴とする請求項２に記載の照明装置。
【請求項５】
前記制御手段は、前記回動動作を行った後に、前記発光部の照射方向に応じて前記移動動作を行うように制御することを特徴とする請求項１ないし４のいずれか１項に記載の照明装置。
【請求項６】
前記発光部を発光させる電気エネルギーを蓄積するコンデンサと、
前記コンデンサの充電を制御する充電制御手段と、を有し、
前記コンデンサは、前記第１の駆動手段及び前記第２の駆動手段へ電力を供給する電源から電力が供給され、
前記充電制御手段は、前記回動動作を行っているときに、前記コンデンサの充電を制限することを特徴とする請求項１ないし５のいずれか１項に記載の照明装置。
【請求項７】
前記充電制御手段は、前記コンデンサの充電の途中で前記回動動作を行う場合、前記コンデンサの充電を停止することを特徴とする請求項６に記載の照明装置。
【請求項８】
前記制御手段は、前記発光部の照射方向を決定するために前記回動動作を行う場合、前記移動動作を行った後に前記回動動作を行うように制御することを特徴とする請求項１ないし７のいずれか１項に記載の照明装置。
【請求項９】
本体部と、
光源と、
前記光源からの光の照射範囲を変更する照射範囲変更手段と、
前記光源と前記照射範囲変更手段とを備え、前記本体部に対して回動可能な可動部と、
前記可動部を前記本体部に対して回動させる第１の駆動手段と、
前記光源からの光の照射範囲を変更するために、前記照射範囲変更手段に含まれる部材を移動させる第２の駆動手段と、
前記第１の駆動手段を用いた回動動作及び前記第２の駆動手段を用いた移動動作を制御する制御手段と、を有し、
前記第２の駆動手段は、前記第１の駆動手段へ電力を供給する電源から電力が供給され、
前記制御手段は、前記移動動作を行った後に前記回動動作を行うように制御することを特徴とする照明装置。
【請求項１０】
本体部と、
光源と、
前記光源からの光の照射範囲を変更する照射範囲変更手段と、
前記光源と前記照射範囲変更手段とを備え、前記本体部に対して回動可能な可動部と、
前記可動部を前記本体部に対して回動させる第１の駆動手段と、
前記光源からの光の照射範囲を変更するために、前記照射範囲変更手段に含まれる部材を移動させる第２の駆動手段と、
前記光源を発光させる電気エネルギーを蓄積するコンデンサと、
前記コンデンサの充電を制御する充電制御手段と、を有し、
前記コンデンサは、前記第１の駆動手段及び前記第２の駆動手段へ電力を供給する電源から電力が供給され、
前記充電制御手段は、前記第１の駆動手段を用いた回動動作及び前記第２の駆動手段を用いた移動動作が行われているときに、前記コンデンサの充電を制限することを特徴とする照明装置。
【請求項１１】
本体部と、
光源と、
前記光源からの光の照射範囲を変更する照射範囲変更手段と、
前記光源と前記照射範囲変更手段とを備え、前記本体部に対して回動可能な可動部と、
前記可動部を前記本体部に対して回動させる第１の駆動手段と、
前記光源からの光の照射範囲を変更するために、前記照射範囲変更手段に含まれる部材を移動させる第２の駆動手段と、
前記第１の駆動手段を用いた回動動作及び前記第２の駆動手段を用いた移動動作を制御する制御手段と、
前記光源を発光させる電気エネルギーを蓄積するコンデンサと、を有し、
前記コンデンサは、前記第１の駆動手段及び前記第２の駆動手段へ電力を供給する電源から電力が供給され、
前記制御手段は、前記コンデンサの充電が行われているときに、前記回動動作及び前記移動動作を制限することを特徴とする照明装置。
【請求項１２】
発光部を備えた可動部を本体部に対して回動可能に駆動させる第１の駆動手段と、前記第１の駆動手段へ電力を供給する電源から電力が供給され、前記発光部と当該発光部の前方に設けられた入射した光を屈折させる光学部材との相対位置が変更されるように、前記発光部及び前記光学部材の少なくとも一方を駆動させる第２の駆動手段と、を有する照明装置を用いた撮影を行う撮像装置であって、
前記第１の駆動手段を用いた回動動作及び前記第２の駆動手段を用いた移動動作を制御する制御手段を有し、
前記制御手段は、前記移動動作を行った後に前記回動動作を行うように制御することを特徴とする撮像装置。
【請求項１３】
発光部を備えた可動部を本体部に対して回動可能に駆動させる第１の駆動手段と、前記第１の駆動手段へ電力を供給する電源から電力が供給され、光源からの光の照射範囲を変更するために、照射範囲変更手段に含まれる部材を移動させる第２の駆動手段と、を有する照明装置を用いた撮影を行う撮像装置であって、
前記第１の駆動手段を用いた回動動作及び前記第２の駆動手段を用いた移動動作を制御する制御手段を有し、
前記制御手段は、前記移動動作を行った後に前記回動動作を行うように制御することを特徴とする撮像装置。
【請求項１４】
発光部を備えた可動部を本体部に対して回動可能に駆動させる第１の駆動手段と、前記第１の駆動手段へ電力を供給する電源から電力が供給され、光源からの光の照射範囲を変更するために、照射範囲変更手段に含まれる部材を移動させる第２の駆動手段と、前記第１の駆動手段及び前記第２の駆動手段へ電力を供給する電源から電力が供給され、前記光源を発光させる電気エネルギーを蓄積するコンデンサと、を有する照明装置を用いた撮影を行う撮像装置であって、
前記コンデンサの充電を制御する充電制御手段を有し、
前記充電制御手段は、前記第１の駆動手段を用いた回動動作及び前記第２の駆動手段を用いた移動動作が行われているときに、前記コンデンサの充電を制限することを特徴とする撮像装置。
【請求項１５】
発光部を備えた可動部を本体部に対して回動可能に駆動させる第１の駆動手段と、前記第１の駆動手段へ電力を供給する電源から電力が供給され、光源からの光の照射範囲を変更するために、照射範囲変更手段に含まれる部材を移動させる第２の駆動手段と、前記第１の駆動手段及び前記第２の駆動手段へ電力を供給する電源から電力が供給され、前記光源を発光させる電気エネルギーを蓄積するコンデンサと、を有する照明装置を用いた撮影を行う撮像装置であって、
前記第１の駆動手段を用いた回動動作及び前記第２の駆動手段を用いた移動動作を制御する制御手段を有し、
前記制御手段は、前記コンデンサの充電が行われているときに、前記回動動作及び前記移動動作を制限することを特徴とする撮像装置。
【請求項１６】
発光部を備えた可動部を本体部に対して回動可能に駆動させる第１の駆動手段と、前記第１の駆動手段へ電力を供給する電源から電力が供給され、前記発光部と当該発光部の前方に設けられた入射した光を屈折させる光学部材との相対位置が変更されるように、前記発光部及び前記光学部材の少なくとも一方を駆動させる第２の駆動手段と、を有する照明装置と、撮像装置を含むカメラシステムであって、
前記第１の駆動手段を用いた回動動作及び前記第２の駆動手段を用いた移動動作を制御する制御手段を有し、
前記制御手段は、前記移動動作を行った後に前記回動動作を行うように制御することを特徴とするカメラシステム。
【請求項１７】
発光部を備えた可動部を本体部に対して回動可能に駆動させる第１の駆動手段と、前記第１の駆動手段へ電力を供給する電源から電力が供給され、光源からの光の照射範囲を変更するために、照射範囲変更手段に含まれる部材を移動させる第２の駆動手段と、を有する照明装置と、撮像装置を含むカメラシステムであって、
前記第１の駆動手段を用いた回動動作及び前記第２の駆動手段を用いた移動動作を制御する制御手段を有し、
前記制御手段は、前記移動動作を行った後に前記回動動作を行うように制御することを特徴とするカメラシステム。
【請求項１８】
発光部を備えた可動部を本体部に対して回動可能に駆動させる第１の駆動手段と、前記第１の駆動手段へ電力を供給する電源から電力が供給され、光源からの光の照射範囲を変更するために、照射範囲変更手段に含まれる部材を移動させる第２の駆動手段と、前記第１の駆動手段及び前記第２の駆動手段へ電力を供給する電源から電力が供給され、前記光源を発光させる電気エネルギーを蓄積するコンデンサと、を有する照明装置と、撮像装置と、を含むカメラシステムであって、
前記コンデンサの充電を制御する充電制御手段を有し、
前記充電制御手段は、前記第１の駆動手段を用いた回動動作及び前記第２駆動手段を用いた移動動作が行われているときに、前記コンデンサの充電を制限することを特徴とするカメラシステム。
【請求項１９】
発光部を備えた可動部を本体部に対して回動可能に駆動させる第１の駆動手段と、前記第１の駆動手段へ電力を供給する電源から電力が供給され、光源からの光の照射範囲を変更するために、照射範囲変更手段に含まれる部材を移動させる第２の駆動手段と、前記第１の駆動手段及び前記第２の駆動手段へ電力を供給する電源から電力が供給され、前記光源を発光させる電気エネルギーを蓄積するコンデンサと、を有する照明装置と、撮像装置を含むカメラシステムであって、
前記第１の駆動手段を用いた回動動作及び前記第２の駆動手段を用いた移動動作を制御する制御手段を有し、
前記制御手段は、前記コンデンサの充電が行われているときに、前記回動動作及び前記移動動作を制限することを特徴とするカメラシステム。
【請求項２０】
発光部を備えた可動部を本体部に対して回動可能に駆動させる第１の駆動手段と、前記第１の駆動手段へ電力を供給する電源から電力が供給され、前記発光部と当該発光部の前方に設けられた入射した光を屈折させる光学部材との相対位置が変更されるように、前記発光部及び前記光学部材の少なくとも一方を駆動させる第２の駆動手段と、を有する照明装置の制御方法であって、
前記第１の駆動手段を用いた回動動作及び前記第２の駆動手段を用いた移動動作を制御する制御ステップを有し、
前記制御ステップは、前記移動動作を行った後に前記回動動作を行うように制御することを特徴とする制御方法。
【請求項２１】
発光部を備えた可動部を本体部に対して回動可能に駆動させる第１の駆動手段と、前記第１の駆動手段へ電力を供給する電源から電力が供給され、光源からの光の照射範囲を変更するために、照射範囲変更手段に含まれる部材を移動させる第２の駆動手段と、を有する照明装置の制御方法であって、
前記第１の駆動手段を用いた回動動作及び前記第２の駆動手段を用いた移動動作を制御する制御ステップを有し、
前記制御ステップは、前記移動動作を行った後に前記回動動作を行うように制御することを特徴とする制御方法。
【請求項２２】
発光部を備えた可動部を本体部に対して回動可能に駆動させる第１の駆動手段と、前記第１の駆動手段へ電力を供給する電源から電力が供給され、光源からの光の照射範囲を変更するために、照射範囲変更手段に含まれる部材を移動させる第２の駆動手段と、前記第１の駆動手段及び前記第２の駆動手段へ電力を供給する電源から電力が供給され、前記光源を発光させる電気エネルギーを蓄積するコンデンサと、を有する照明装置の制御方法であって、
前記コンデンサの充電を制御する充電制御ステップを有し、
前記充電制御ステップは、前記第１の駆動手段を用いた回動動作及び前記第２の駆動手段を用いた移動動作が行われているときに、前記コンデンサの充電を制限することを特徴とする制御方法。
【請求項２３】
発光部を備えた可動部を本体部に対して回動可能に駆動させる第１の駆動手段と、前記第１の駆動手段へ電力を供給する電源から電力が供給され、光源からの光の照射範囲を変更するために、照射範囲変更手段に含まれる部材を移動させる第２の駆動手段と、前記第１の駆動手段及び前記第２の駆動手段へ電力を供給する電源から電力が供給され、前記光源を発光させる電気エネルギーを蓄積するコンデンサと、を有する照明装置の制御方法であって、
前記第１の駆動手段を用いた回動動作及び前記第２の駆動手段を用いた移動動作を制御する制御ステップを有し、
前記制御ステップは、前記コンデンサの充電が行われているときに、前記回動動作及び前記移動動作を制限することを特徴とする制御方法。
【手続補正２】
【補正対象書類名】明細書
【補正対象項目名】０００９
【補正方法】変更
【補正の内容】
【０００９】
上記目的を達成するために、本発明に係る照明装置は、本体部と、発光部と、前記発光部の前方に配置され、入射した光を屈折させる光学部材と、前記発光部と前記光学部材を備え、前記本体部に対して回動可能な可動部と、前記可動部を前記本体部に対して回動させる第１の駆動手段と、前記発光部と前記光学部材との相対位置が変化するように、前記発光部と前記光学部材の少なくとも一方を移動させる第２の駆動手段と、前記第１の駆動手段を用いた回動動作及び前記第２の駆動手段を用いた移動動作を制御する制御手段と、を有し、前記第２の駆動手段は、前記第１の駆動手段へ電力を供給する電源から電力が供給され、前記制御手段は、前記移動動作を行った後に前記回動動作を行うように制御することを特徴とする。